(57)【要約】【課題】バンパー内に這わされたハーネスを固定することができる超音波センサを提供する。【解決手段】この超音波センサＡは、合成樹脂成形品であって略直方体形状の器体後部１ａと、器体後部１ａの前面から一体に延設された断面略角丸四角形の筒状の器体前部１ｂとから器体１が形成されている。器体後部１ａの上面には、一端が器体後部１ａの上面に支持され器体後部１ａの上面と所定の間隔をもって略並行に突出する片持ち片２ａと、片持ち片２ａの先端に内側面に突設された係止爪２ｂとからなるハーネス固定部２が形成されている。係止爪２ｂは、片持ち片２ａの先端側から支持側へ向かうにつれて器体後部１ａの上面側に近づくように傾斜する傾斜面を有している。【選択図】        図１
2004264264.tif 000002
【特許請求の範囲】
【請求項１】
超音波振動子を収納し、バンパーの表裏に貫通するように穿孔された取付孔から前記超音波振動子を外部に臨ませてバンパーの裏面側に突出して固定される器体と、バンパーの裏面側に突出した前記器体の部位に設けられバンパー内に這わされたハーネスを固定するハーネス固定手段とを備えたことを特徴とする超音波センサ。
【請求項２】
前記器体は、バンパーの表面側から前記取付孔に挿入され前端縁に突設されたフランジ部を前記取付孔の開口部周縁に当接させてバンパーに嵌装されるベゼル部材と、超音波振動子を収納し前記ベゼル部材にバンパーの裏面側から嵌装されるハウジングブロックとからなり、前記ハーネス固定手段を前記ベゼル部材に設けたことを特徴とする請求項１記載の超音波センサ。
【請求項３】
前記器体は、バンパーの裏面において前記取付穴の開口部周縁に溶着される裏面取付枠と、超音波振動子を収納し前記裏面取付枠にバンパーの裏面側から嵌装されるハウジングブロックとからなり、前記ハーネス固定手段を前記裏面取付枠に設けたことを特徴とする請求項１記載の超音波センサ。
【請求項４】
前記ハーネス固定手段を前記ハウジングブロックに設けたことを特徴とする請求項２または３記載の超音波センサ。
【請求項５】
前記ハーネス固定手段は、一端が前記器体の一面に支持され前記器体の一面と所定の間隔をもって略並行に突出する片持ち片と、該片持ち片の先端の内側面に突設された係止爪とからなることを特徴とする請求項１乃至４の何れか記載の超音波センサ。
【請求項６】
前記ハーネス固定手段は、ハーネスが挿通される円筒状の胴体部および胴体部の両端部の外周縁に突設された突部を備えた筒状部材と、前記胴体部の外径と略同等の内径を有する円環の一部を切り欠き、該切り欠きを外側に向けて前記器体の一面に取着される保持部材とからなることを特徴とする請求項１乃至４の何れか記載の超音波センサ。
【請求項７】
前記ハーネス固定手段は、前記器体の一部に貫設された係止孔と、前記係止孔に係止する係止手段およびハーネスを保持する保持手段を備えた係止部材とからなることを特徴とする請求項１乃至４の何れか記載の超音波センサ。
【発明の詳細な説明】
【０００１】
【発明の属する技術分野】
本発明は、超音波センサに関するものである。
【０００２】
【従来の技術】
従来、超音波を送受波することによって車両周囲の障害物を検知する超音波センサを備えた障害物検知システムが提供されている。この種の障害物検知システムに用いられる超音波センサとしては、パルス状の超音波（以下、超音波パルスという。）を間欠的に送波し、超音波パルスの送波から障害物での反射波を受波するまでの時間差によって所定の距離範囲内の障害物の有無を検知したり障害物までの距離および障害物の存在する方向を測定したりするものがある。この種の障害物検知システムでは、障害物に関する情報を車両の運転者に通報する報知手段（例えば、ディスプレイや発光ダイオードのような表示装置、ブザーのような音響出力装置など）と、超音波センサの出力に基づいて前記報知手段を制御する制御装置とを備えており、制御装置と超音波センサとの間はハーネスにより電気的に接続されている。
【０００３】
ところで、上述のような障害物検知システムに用いられる超音波センサは、車両のバンパーの表裏に貫通するように穿孔した取付孔に器体を挿入して取り付けられるのが一般的である（例えば、特許文献１参照。）。
【０００４】
この特許文献１に開示された超音波センサａは、図１２に示すように、センサエレメントである超音波振動子（図示せず）を収納した器体１００の前端縁にわたってフランジ部１００ａが突設されると共に、器体１００の外周面においてフランジ部１００ａから所定距離だけ離間した部位に全周にわたって係止溝（図示せず）が形成されており、器体１００をバンパーの表面ｘ１側から取付孔に挿入しフランジ部１００ａを取付孔の開口部周縁に当接させた後、一端が二股状に形成された板ばねからなる固定具２００をバンパーの裏面ｘ２に沿ってスライドさせて前記係止溝に係合させて、フランジ部１００ａと固定具２００とでバンパーＸを表裏から挟持することでバンパーＸに固定される。
【０００５】
また、バンパーＸへの別の取付構造を有する超音波センサとしては、図１３に示すものがある。この超音波センサｂは、前端縁にフランジ部２０１ａが突設されたベゼル部材２０１と、超音波振動子を収納しベゼル部材２０１に嵌装されるハウジングブロック１０１とから器体が構成される。この超音波センサｂをバンパーＸに取り付けるには、ベゼル部材２０１をバンパーの表面ｘ１側から取付穴へ挿入し、フランジ部２０１ａを前記取付孔の開口部周縁に当接させて図示しない係止爪とでバンパーＸを表裏から挟持することでベゼル部材２０１をバンパーに嵌装し、その後ハウジングブロック１０１をバンパーＸの裏面ｘ２側からベゼル部材２０１へ挿入し、ハウジングブロック１０１の上面および下面に設けられた係止凸部１０１ａ，１０１ａをベゼル部材２０１に設けられた係止孔２０１ｂ，２０１ｂに凹凸嵌合させて、ハウジングブロック１０１をベゼル部材２０１に固定させる。
【０００６】
さらに、別のバンパーＸへの取付構造を有する超音波センサとしては、図１４に示すものがある。この超音波センサｃは、上述した超音波センサｂとハウジングブロック１０１の固定の仕方が異なるもので、超音波センサｂと同様のハウジングブロック１０１と、バンパーＸの裏面ｘ２において取付孔の開口部周縁に超音波溶着などにより溶着される裏面取付枠２０２とからなり、裏面取付枠２０２をバンパーＸの裏面ｘ２の取付孔の開口部周縁に超音波溶着等で固定した後、ハウジングブロック１０１をバンパーＸの裏面ｘ２側から裏面取付枠２０２へ挿入し、ハウジングブロック１０１の上面および下面に設けられた係止凸部１０１ａ，１０１ａを裏面取付枠２０２に設けられた係止孔２０２ａ，２０２ａに凹凸嵌合させて、ハウジングブロック１０１を裏面取付枠２０２に固定させる。
【０００７】
【特許文献１】
特開平１１−１３３１３６号公報
【０００８】
【発明が解決しようとする課題】
ところで、従来の超音波センサでは、超音波センサの器体から導出されたハーネスｈ１や、バンパーＸ内に這わされたその他の電装部品のハーネスは、クランプ部材などの別部材で束ねられて、バンパーＸの裏面側に設けられた固定用孔または固定用リブ（共に図示せず）に固定されていた。
【０００９】
しかしながら、前記固定用孔または固定用リブは、バンパーＸの意匠性向上の観点から、バンパーＸに設ける場所が制限されており、そのため、ハーネスがたるんだり、ハーネスを蛇行させる必要が生じてハーネスが長くなる等の問題があった。
【００１０】
本発明は上記問題点に鑑みて為されたものであって、その目的とするところは、バンパー内に這わされたハーネスを固定することができる超音波センサを提供することにある。
【００１１】
【課題を解決するための手段】
上記目的を達成するために、請求項１記載の超音波センサは、超音波振動子を収納し、バンパーの表裏に貫通するように穿孔された取付孔から前記超音波振動子を外部に臨ませてバンパーの裏面側に突出して固定される器体と、バンパーの裏面側に突出した前記器体の部位に設けられバンパー内に這わされたハーネスを固定するハーネス固定手段とを備えたものとした。
【００１２】
請求項２記載の超音波センサは、請求項１記載の発明において、前記器体は、バンパーの表面側から前記取付孔に挿入され前端縁に突設されたフランジ部を前記取付孔の開口部周縁に当接させてバンパーに嵌装されるベゼル部材と、超音波振動子を収納し前記ベゼル部材にバンパーの裏面側から嵌装されるハウジングブロックとからなり、前記ハーネス固定手段を前記ベゼル部材に設けたものとした。
【００１３】
請求項３記載の超音波センサは、請求項１記載の発明において、前記器体は、バンパーの裏面において前記取付穴の開口部周縁に溶着される裏面取付枠と、超音波振動子を収納し前記裏面取付枠にバンパーの裏面側から嵌装されるハウジングブロックとからなり、前記ハーネス固定手段を前記裏面取付枠に設けたものとした。
【００１４】
請求項４記載の超音波センサは、請求項２または３の何れか記載の発明において、前記ハーネス固定手段を前記ハウジングブロックに設けたものとした。
【００１５】
請求項５記載の超音波センサは、請求項１乃至４の何れか記載の発明において、前記ハーネス固定手段は、一端が前記器体の一面に支持され前記器体の一面と所定の間隔をもって略並行に突出する片持ち片と、該片持ち片の先端の内側面に突設された係止爪とからなるものとした。
【００１６】
請求項６記載の超音波センサは、請求項１乃至４の何れか記載の発明において、前記ハーネス固定手段は、ハーネスが挿通される円筒状の胴体部および胴体部の両端部の外周縁に突設された突部を備えた筒状部材と、前記胴体部の外径と略同等の内径を有する円環の一部を切り欠き、該切り欠きを外側に向けて前記器体の一面に取着される保持部材とからなるものとした。
【００１７】
請求項７記載の超音波センサは、請求項１乃至４の何れか記載の発明において、前記ハーネス固定手段は、前記器体の一部に貫設された係止孔と、前記係止孔に係止する係止手段およびハーネスを保持する保持手段を備えた係止部材とからなるものとした。
【００１８】
【発明の実施の形態】
以下、本発明を実施形態１から実施形態５によって説明する。
【００１９】
（実施形態１）
本実施形態の超音波センサＡを図１に示す。この超音波センサＡは、２個の超音波振動子（図示せず）を内蔵し、第１の超音波振動子から超音波パルスを間欠的に送波した後、障害物での反射波を第１の超音波振動子および第２の超音波振動子で受波し、第１の超音波振動子での超音波パルスの送波から受波までの時間差により障害物までの距離を測定すると共に、両超音波振動子において反射波を受波するまでの時間差から障害物の存在する方向を検知するもので、合成樹脂成形品であって略直方体形状の器体後部１ａと、器体後部１ａの前面（図１において左側の面。）から一体に延設された断面略角丸四角形の筒状の器体前部１ｂとから器体１が形成されている。
【００２０】
器体後部１ａの内部には、超音波を送波するための信号を発生して前記第１の超音波振動子に供給したり、前記第１および第２の超音波振動子で受波した超音波を信号として受け取ったり、障害物までの距離や方向を求めたりする回路の構成部品が回路基板に実装された電子回路部（図示せず）が収納されている。
【００２１】
また、器体後部１ａの一側面（図１において奥側の面。）には、コネクタ部（図示せず）が一体に突設されており、前記電子回路部を外部の制御装置と接続するためのハーネスｈ１が前記コネクタ部に接続されている。
【００２２】
また、器体後部１ａの上面（図１において上側の面。）には、一端が器体後部１ａの上面に支持され器体後部１ａの上面と所定の間隔をもって略並行に突出する片持ち片２ａと、片持ち片２ａの先端に内側面に突設された係止爪２ｂとからなるハーネス固定部２が形成されている。係止爪２ｂは、片持ち片２ａの先端側（自由端側）から支持側へ向かうにつれて器体後部１ａの上面側に近づくように傾斜する傾斜面を有している。
【００２３】
器体前部１ｂの内部には、２つの円柱状の収納孔（図示せず）が前面に開口して設けられ、筒状の保持ゴムに嵌め込まれた前記第１および第２の超音波振動子が前記収納孔にそれぞれ収納されている。
【００２４】
また、器体前部１ｂの前端縁には、フランジ部１ｃが突設されている。フランジ部１ｃの外形は器体後部１ａおよび器体前部１ｂの外形よりも大きく形成されている。
【００２５】
上記のように構成された超音波センサＡをバンパーに取り付けるには、図１２に示した従来の超音波センサａと同様に、バンパーの表裏に貫通するように穿孔された取付孔に器体１をバンパーの表面側から挿入し、フランジ部１ｃの後面を取付孔の開口部周縁に当接させ、図示しない固定具（例えば、従来の超音波センサａに用いられている一端が二股状に形成された板ばね。）を用いて、バンパーを表裏から挟持することでバンパーに取り付けられる。この時、前記第１および第２の超音波振動子は取付孔から外部に臨んでおり、器体１はバンパーの裏面側に突出した状態となる。
【００２６】
ところで、超音波センサＡが取り付けられたバンパーの内側には、超音波センサＡのコネクタ部に接続されたハーネスｈ１や、車両に用いられるその他の電装部品（例えば、ランプなど。）のハーネスｈ２が這わされている。
【００２７】
本実施形態の超音波センサＡは、それらのハーネスｈ１，ｈ２をハーネス固定部２に固定することができる。すなわち、ハーネスｈ１，ｈ２をハーネス固定部２の片持ち片２ａと略直交する方向へ向けて、片持ち片２ａの先端側から支持側へと押し込むと、係止爪２ｂの傾斜面がハーネスｈ１，ｈ２に押圧されて片持ち片２ａが弾性変形して外側に開き、ハーネスｈ１，ｈ２が係止爪２ｂを通り抜けると係止爪２ｂの押圧が解除されて片持ち片２ａの形状が元に戻り、それ以降はハーネスｈ１，ｈ２が係止爪２ｂに係合することで抜けが防止される。
【００２８】
かかる超音波センサＡにおいては、バンパーに取り付けられた後、バンパー内に這わされたハーネスｈ１，ｈ２を固定することができる。
【００２９】
（実施形態２）
本実施形態の超音波センサＡ’を図２に示す。この超音波センサＡ’は、実施形態１の超音波センサＡに対してハーネス固定部３の形状が異なる点に特徴があり、その他の基本構成は実施形態１と共通するために共通する部分については同一の符号を付して説明を省略する。
【００３０】
本実施形態のハーネス固定部３は、図２または図３に示すように、円筒状の胴体部３ａａを有し胴体部３ａａの両端部の外周縁に突部３ａｂを突設した筒状部材３ａと、胴体部３ａａの外径と略同等の内径を有する２つの円環３ｂａ，３ｂａの一部を切り欠き、２つの円環３ｂａ，３ｂａを前記切り欠きとは反対側で連結した保持部材３ｂとからなり、筒状部材３ａの胴体部３ａａにハーネスｈ１，ｈ２を挿通し、保持部材３ｂを切り欠きを外側に向けて器体後部１ａの上面に取着させて構成される。
【００３１】
保持部材３ｂの２つの円環３ｂａ，３ｂａの外側の間隔は、筒状部材３ａの両突部３ａｂの内側の間隔とほぼ等しく、円環３ｂａ，３ｂａの切り欠きから筒状部材３ａの胴体部３ａａを挿入すると、円環３ｂａ，３ｂａが弾性変形して外側に開き、筒状部材３ａの挿入が完了すると円環３ｂａ，３ｂａが元の形状に戻って、筒状部材３ａを保持する。また、筒状部材３ａの突部３ａｂ，３ａｂと、保持部材３ｂの円環３ｂａ，３ｂａとが係合することで、筒状部材３ａが保持部材３ｂからスライドして抜けることもない。
【００３２】
以上のように構成されたハーネス固定部３でも実施形態１のハーネス固定部２と同様にバンパー内に這わされたハーネスｈ１，ｈ２を固定することができ、さらにハーネスｈ１，ｈ２が束ねてテーピングされている場合でもまとめて固定できる。
【００３３】
（実施形態３）
本実施形態の超音波センサＡ’’を図４に示す。この超音波センサＡ’’は、実施形態１または実施形態２の超音波センサＡ，Ａ’に対してハーネス固定部４の形状が異なる点に特徴があり、その他の基本構成は実施形態１または実施形態２と共通するために共通する部分については同一の符号を付して説明を省略する。
【００３４】
ハーネス固定部４は、図４および図５に示すように、器体後部１ａの後瑞から延設された延設片１ｄに穿孔された係止孔４ａと、球の一部を切り取った形状の基体４ｂｃおよび基体４ｂｃの平面側に設けられた係止手段としての係止爪４ｂａおよび基体４ｂｃの曲面側に設けられたハーネス保持手段としてのリング部４ｂｂを備えた係止部材４ｂとからなる。
【００３５】
係止爪４ｂａは先端から反対側へ向かうにつれて広がるように傾斜する傾斜面を有し、傾斜面を内側に弾性変形させながら係止孔４ａに挿入され、傾斜面が係止孔４ａを抜けると元の形状に戻って、係止孔４ａの一方の開口部周縁に係止される。この時、係止孔４ａの他方の開口部周縁には基体４ｂｃの平面側が当接しており、延設片１ｄにがたつくことなく係止される。
【００３６】
リング部４ｂｂには、ハーネスｈ１，ｈ２が挿通され、ハーネスｈ１，ｈ２を保持する。
【００３７】
以上のように構成されたハーネス固定部４でも実施形態１のハーネス固定部２と同様にバンパー内に這わされたハーネスｈ１，ｈ２を固定することができ、さらに実施形態２のハーネス固定部３と同様にハーネスｈ１，ｈ２が束ねてテーピングされている場合でもまとめて固定できる。
【００３８】
（実施形態４）
本実施形態の超音波センサＢを図６に示す。この超音波センサＢは、実施形態１乃至３の超音波センサＡ，Ａ’，Ａ’’と同様に２個の超音波振動子を内蔵するもので、超音波センサＢの動作および基本構成については実施形態１乃至３と共通するために説明を省略し、本実施形態の特徴となる部分についてのみ詳細に説明する。
【００３９】
本実施形態の超音波センサＢは、器体１０が、ベゼル部材１０Ａと、ハウジングブロック１０Ｂとから構成される。
【００４０】
ベゼル部材１０Ａは、ハウジングブロック１０Ｂのハウジング前部１５ｂが後瑞の開口から挿入される筒状の胴体部１１と、胴体部１１の後瑞縁から上下に対向するように延設され、それぞれ係止孔１３ａが貫設された延設片１３，１３と、胴体部１１の前端縁に突設されたフランジ部１２とからなる。
【００４１】
また、胴体部１１の上面には実施形態１と同様のハーネス固定部２が設けられている。すなわち、片持ち片２ａの一端が胴体部１１の上面に支持され、胴体部１１の上面と所定の間隔をもって略並行する片持ち片２ａの先端の内側面に係止爪２ｂが突設されている。
【００４２】
ハウジングブロック１０Ｂは、内部に電子回路部が収納された略直方体形状のハウジング後部１５ａと、ハウジング後部１５ａの前面から一体に延設された断面略角丸四角形の筒状のハウジング前部１５ｂとからなる。
【００４３】
ハウジング後部１５ａの上面および下面には、ベゼル部材１０Ａの延設片１３に穿孔された係止孔１３ａと凹凸嵌合する凸部１６，１６が突設されている。
【００４４】
また、ハウジング後部１５ａの一側面（図６において奥側の面。）には、コネクタ部（図示せず）が一体に突設されており、前記電子回路部を外部の制御装置と接続するためのハーネスｈ１が前記コネクタ部に接続されている。
【００４５】
ハウジング前部１５ｂの内部には、２つの円柱状の収納孔（図示せず）が前面に開口して設けられ、筒状の保持ゴムに嵌め込まれた前記第１および第２の超音波振動子が前記収納孔にそれぞれ収納されている。
【００４６】
上記のように構成された超音波センサＢをバンパーに取り付けるには、図１３に示した従来の超音波センサｂと同様に、バンパーの表裏に貫通するように穿孔された取付孔にベゼル部材１０Ａをバンパーの表面側から挿入し、フランジ部１２の後面を取付孔の開口部周縁に当接させ、フランジ部１２と図示しない係止爪とでバンパーを表裏から挟持することでベゼル部材１０Ａをバンパーに嵌装し、その後ハウジング前部１５ｂをバンパーの裏面側からベゼル部材１０Ａへ挿入し、ハウジング後部１５ａの上面および下面に設けられた凸部１６，１６をベゼル部材１０Ａに設けられた係止孔１３ａ，１３ａに凹凸嵌合させて、ハウジングブロック１０Ｂをベゼル部材１０Ａに固定させる。
【００４７】
この時、前記第１および第２の超音波振動子は取付孔から外部に臨んでおり、ハウジングブロック１０Ｂはバンパーの裏面側に突出した状態となる。
【００４８】
かかる超音波センサＢにおいても、実施形態１の超音波センサＡと同様に、超音波センサＢのコネクタ部に接続されたハーネスｈ１や、その他の電装部品のハーネスｈ２など、バンパー内に這わされたハーネスをハーネス固定部２により固定することができる。
【００４９】
また、本実施形態においても、ハーネス固定部２の形状は、図７に示すハーネス固定部３や、図８に示すハーネス固定部４でもよい。なお、これらの説明については実施形態２または実施形態３と共通するため省略する。
【００５０】
また、ハーネス固定部２を設ける位置は、ベゼル部材１０Ａではなく、ハウジングブロック１０Ｂのハウジング後部１５ａでもよい。この場合においても、ハーネス固定部２の形状は、ハーネス固定部３やハーネス固定部４の形状でもよい。
【００５１】
（実施形態５）
本実施形態の超音波センサＣを図９に示す。この超音波センサＣは、実施形態４の超音波センサＢに対して、器体２０が裏面取付枠２０Ａとハウジングブロック１０Ｂとから構成される点に特徴があり、ハウジングブロック１０Ｂについては同等のため同一の符号を付して説明を省略し、本実施形態の特徴となる裏面取付枠２０Ａについてのみ詳細に説明する。
【００５２】
本実施形態の裏面取付枠２０Ａは、ハウジングブロック１０Ｂのハウジング前部１５ｂが後瑞の開口から挿入される筒状の胴体部２１と、胴体部２１の後瑞縁から上下に対向するように延設され、それぞれ係止孔２３ａが貫設された延設片２３，２３と、胴体部２１の前端縁に突設されたフランジ部２２とからなる。
【００５３】
また、胴体部２１の上面には実施形態４と同様のハーネス固定部２が設けられている。すなわち、片持ち片２ａの一端が胴体部２１の上面に支持され、胴体部２１の上面と所定の間隔をもって略並行する片持ち片２ａの先端の内側面に係止爪２ｂが突設されている。
【００５４】
上記のように構成された超音波センサＣをバンパーに取り付けるには、図１４に示した従来の超音波センサｃと同様に、裏面取付枠２０Ａのフランジ部２２をバンパーＸの裏面ｘ２において取付孔の開口部周縁に超音波溶着等で固定した後、ハウジングブロック１０ＢをバンパーＸの裏面ｘ２側から裏面取付枠２０Ａへ挿入し、ハウジングブロック１０Ｂの上面および下面に設けられた係止凸部１６，１６を裏面取付枠２０Ａに設けられた係止孔２３ａ，２３ａに凹凸嵌合させて、ハウジングブロック１０Ｂを裏面取付枠２０Ａに固定させる。
【００５５】
この時、前記第１および第２の超音波振動子は取付孔から外部に臨んでおり、ハウジングブロック１０Ｂはバンパーの裏面側に突出した状態となる。
【００５６】
かかる超音波センサＣにおいても、実施形態４の超音波センサＢと同様に、超音波センサＣのコネクタ部に接続されたハーネスｈ１や、その他の電装部品のハーネスｈ２など、バンパー内に這わされたハーネスをハーネス固定部２により固定することができる。
【００５７】
また、本実施形態においても、ハーネス固定部２の形状は、図１０に示すハーネス固定部３や、図１１に示すハーネス固定部４でもよい。
【００５８】
また、ハーネス固定部２を設ける位置は、裏面取付枠２０Ａではなく、ハウジングブロック１０Ｂのハウジング後部１５ａでもよい。この場合においても、ハーネス固定部２の形状は、ハーネス固定部３やハーネス固定部４の形状でもよい。
【００５９】
【発明の効果】
請求項１記載の超音波センサは、超音波振動子を収納し、バンパーの表裏に貫通するように穿孔された取付孔から前記超音波振動子を外部に臨ませてバンパーの裏面側に突出して固定される器体と、バンパーの裏面側に突出した前記器体の部位に設けられバンパー内に這わされたハーネスを固定するハーネス固定手段とを備えたので、バンパーに取り付けられた後に、バンパー内に這わされたハーネスを固定することができるという効果がある。
【００６０】
請求項２記載の超音波センサは、請求項１記載の発明において、前記器体は、バンパーの表面側から前記取付孔に挿入され前端縁に突設されたフランジ部を前記取付孔の開口部周縁に当接させてバンパーに嵌装されるベゼル部材と、超音波振動子を収納し前記ベゼル部材にバンパーの裏面側から嵌装されるハウジングブロックとからなり、前記ハーネス固定手段を前記ベゼル部材に設けたので、前記ベゼル部材にハーネスを固定することができる請求項１記載の超音波センサを実現できるという効果がある。
【００６１】
請求項３記載の超音波センサは、請求項１記載の発明において、前記器体は、バンパーの裏面において前記取付穴の開口部周縁に溶着される裏面取付枠と、超音波振動子を収納し前記裏面取付枠にバンパーの裏面側から嵌装されるハウジングブロックとからなり、前記ハーネス固定手段を前記裏面取付枠に設けたので、前記裏面取付枠にハーネスを固定することができる請求項１記載の超音波センサを実現できるという効果がある。
【００６２】
請求項４記載の超音波センサは、請求項２又は３記載の発明において、前記ハーネス固定手段を前記ハウジングブロックに設けたので、前記ハウジングブロックにハーネスを固定することができる請求項２または３記載の超音波センサを実現できるという効果がある。
【００６３】
請求項５記載の超音波センサは、請求項１乃至４の何れか記載の発明において、前記ハーネス固定手段は、一端が前記器体の一面に支持され前記器体の一面と所定の間隔をもって略並行に突出する片持ち片と、該片持ち片の先端の内側面に突設された係止爪とからなるので、ハーネスを前記片持ち片と略直交する方向へ向け、片持ち片の先端側から支持側へハーネスを押し込み、前記係止爪によりハーネスの抜けを防止するハーネス固定手段を実現できるという効果がある。
【００６４】
請求項６記載の超音波センサは、請求項１乃至４の何れか記載の発明において、前記ハーネス固定手段は、ハーネスが挿通される円筒状の胴体部および胴体部の両端部の外周縁に突設された突部を備えた筒状部材と、前記胴体部の外径と略同等の内径を有する円環の一部を切り欠き、該切り欠きを外側に向けて前記器体の一面に取着される保持部材とからなるので、前記筒状部材にハーネスを挿通し、該筒状部材を保持部材の切り欠きから円環へと押し込みハーネスを固定するハーネス固定手段を実現できるという効果がある。
【００６５】
請求項７記載の超音波センサは、請求項１乃至４の何れか記載の発明において、前記ハーネス固定手段は、前記器体の一部に貫設された係止孔と、前記係止孔に係止する係止手段およびハーネスを保持する保持手段を備えた係止部材とからなるので、前記ハーネス保持手段によりハーネスを保持し、前記係止手段を前記係止孔に係合させてハーネスを固定するハーネス固定手段を実現できるという効果がある。
【図面の簡単な説明】
【図１】実施形態１の超音波センサを示す斜視図である。
【図２】実施形態２の超音波センサを示す斜視図である。
【図３】同上の要部の拡大図である。
【図４】実施形態３の超音波センサを示す斜視図である。
【図５】同上の要部の拡大図である。
【図６】実施形態４の超音波センサを示す斜視図である。
【図７】同上のハーネス固定部の別の形状を示す斜視図である。
【図８】同上のハーネス固定部のさらに別の形状を示す斜視図である。
【図９】実施形態５の超音波センサを示す斜視図である。
【図１０】同上のハーネス固定部の別の形状を示す斜視図である。
【図１１】同上のハーネス固定部のさらに別の形状を示す斜視図である。
【図１２】従来の超音波センサをバンパーに取り付けた状態を模式的に示す図である。
【図１３】従来の別の構造の超音波センサをバンパーに取り付けた状態を模式的に示す図である。
【図１４】従来のさらに別の構造の超音波センサをバンパーに取り付けた状態を模式的に示す図である。
【符号の説明】
１  器体
１ａ  器体後部
１ｂ  器体前部
１ｃ  フランジ部
２  ハーネス固定部
２ａ  片持ち片
２ｂ  係止爪
３  ハーネス固定部
３ａ  筒状部材
３ａａ  胴体部
３ａｂ  突部
３ｂ  保持部材
３ｂａ  円環
４  ハーネス保持部
４ａ  係止孔
４ｂ  係止部材
４ｂａ  係止爪
４ｂｂ  リング部
４ｂｃ  基体
１０  器体
１０Ａ  ベゼル部材
１０Ｂ  ハウジングブロック
１１  胴体部
１２  フランジ部
１３  延設片
１３ａ  係止孔
１５ａ  ハウジング後部
１５ｂ  ハウジング前部
１６  凸部
２０  器体
２０Ａ  裏面取付枠
２１  胴体部
２２  フランジ部
２３  延設片
２３ａ  係止孔
ｈ１，ｈ２  ハーネス
Ａ〜Ｃ  超音波センサ
Ｘ  バンパー
【図１】
2004264264.tif 000003
【図２】
2004264264.tif 000004
【図３】
2004264264.tif 000005
【図４】
2004264264.tif 000006
【図５】
2004264264.tif 000007
【図６】
2004264264.tif 000008
【図７】
2004264264.tif 000009
【図８】
2004264264.tif 000010
【図９】
2004264264.tif 000011
【図１０】
2004264264.tif 000012
【図１１】
2004264264.tif 000013
【図１２】
2004264264.tif 000014
【図１３】
2004264264.tif 000015
【図１４】
2004264264.tif 000016